(57)【要約】【課題】  ホームネットワークシステムに、開口部を開閉する戸体と、該戸体の外側を開閉するシャッターカーテンとを備えた建築用開閉装置を接続する場合に、停電であっても防犯管理ができるように構成する。【解決手段】  通常通電時では、シャッターカーテン１１ａの全閉を検知するシャッター近接スイッチ（シャッター全閉検知スイッチ）１３と、戸体１２の全閉を検知する戸体近接スイッチ（戸体全閉検知スイッチ）１４とを、開閉制御部１１ｅに接続されるシャッター通常時起動回路１３ｃと戸体通常時起動回路１４ｃとに接続するとともに、停電時では、戸体近接スイッチ１４を、ホームネットワークシステム１側のインターフェース５ａに接続する停電時起動回路５ｃに接続するよう切り換え自在な構成とする一方、ホームネットワークシステム１を、戸体全閉検知信号の入力がある場合に警戒モードとなる構成とする。【選択図】        図４
2007036447.tif 000002
【特許請求の範囲】
【請求項１】
接続される被操作機器を操作、管理するホームネットワークシステムに、開口部を開閉する戸体と、該戸体の外側を開閉するシャッターカーテンとを備えた建築用開閉装置を接続するにあたり、シャッターカーテンの全閉を検知するシャッター全閉検知スイッチと戸体の全閉を検知する戸体全閉検知スイッチとの何れか一方の検知スイッチからの全閉検知信号の入力で、ホームネットワークシステムを警戒モードに切り換えるよう構成する一方、ホームネットワークシステムにシャッターカーテンを開閉制御する開閉制御部を接続し、前記一方の検知スイッチを、通常通電時では開閉制御部に接続する通常時起動回路に、停電時ではホームネットワークシステムに接続する停電時起動回路に切り換え自在に接続するように構成したホームネットワークシステムにおける建築用開閉装置。
【請求項２】
請求項１において、停電時起動回路には、戸体全閉検知スイッチが接続されているホームネットワークシステムにおける建築用開閉装置。
【請求項３】
請求項１または２の何れか一項において、通常時起動回路には、シャッター全閉検知スイッチと戸体全閉検知スイッチとが、開閉制御部に対してそれぞれ個別に接続されているホームネットワークシステムにおける建築用開閉装置。
【請求項４】
請求項１乃至３の何れか一項において、通常時起動回路と停電時起動回路との切り換えは、開閉制御部に接続されたリレーのスイッチ接点が、開閉制御部の停電に基づいて切り換わることに伴い、自動的になされるように構成されているホームネットワークシステムにおける建築用開閉装置。
【発明の詳細な説明】
【技術分野】
【０００１】
本発明は、建築物に取り付け、または、設置される家電等の被操作機器を、ネットワークを介して接続したホームネットワークシステムにおける建築用開閉装置の技術分野に属するものである。
【背景技術】
【０００２】
近年、建築物に取り付け、または、設置される家電や、出入り口部に設けられる被操作機器と、該被操作機器を操作する操作端末と、これら被操作機器と操作端末とが接続されるネットワークと、該ネットワークに接続される管理サーバとを備えて構成されるホームネットワークシステム（ネット家電）に関する提案が種々なされている。このようなホームネットワークシステムにおいて、開口部を開閉する電動シャッター装置等の建築用開閉装置を接続し、他の被操作機器とともに電動シャッター装置を操作したり、防犯状態を管理したり、さらには、ホームネットワークシステムを警備会社等の外部ネットワークシステムに接続して、警備会社による防犯管理を受けられるようにすることが提唱されている。
【０００３】
このように、ホームネットワークシステムに電動シャッター装置を接続するものにおいて、シャッターカーテンを開閉駆動する開閉機の制御盤（開閉制御部）に、シャッターカーテンの手動開放を検知する手動開放検知手段（シャッターカーテンが全閉になることでスイッチ切り換えがなされる近接スイッチであって、本発明の全閉検知スイッチ）を接続し、前記制御盤が、手動開放検知手段から手動開放検知信号の入力に基づいて開口部の開放を判断した場合に、防犯異常信号をホームネットワークシステム側に出力するようにしたものが提唱されている。
【特許文献１】特開２００４−１１０５５９
【発明の開示】
【発明が解決しようとする課題】
【０００４】
ところで、このようなホームネットワークシステムを用いて各種被操作機器を操作、管理する場合に、特に防犯管理にあっては、停電時であっても管理できるようにすることが必要である。そこで、ホームネットワークシステム側にはバッテリを搭載し、停電時であっても搭載されるバッテリに切り換えることで防犯管理が続行されるようにしている。
しかるに、前記従来の電動シャッターの制御盤にはバッテリが搭載されていないが、ホームネットワークシステムにこのような電動シャッターを接続する場合に、ホームネットワークシステムは、前記手動開放検知手段からの手動開放検知信号に基づく信号であって、シャッターカーテンの全閉状態を検知する全閉検知信号の入力がなされている場合に警戒モードに設定される構成となっている。このため、ホームネットワークが警戒モードに設定されている状態で制御盤の電源が停電してしまうと全閉検知信号の出力がなくなり、ホームネットワーク側は、該全閉検知信号の入力がなくなることを持ってシャッターカーテンが開放されたと判断して誤報を発生するという問題が生じる。これを回避するためには、制御盤にバッテリを搭載する構成とすればよいが、このようにすると、コストアップや制御盤の大型化等の問題が生じる。
また、住宅の開口部に電動シャッター装置を設ける場合、該シャッター装置の内側に引き戸式の左右一対の戸体を設けることがあり、この場合には、シャッターカーテンの抉じ開けとともに、戸体の抉じ開けを検知することが防犯上好ましい。そこで、戸体が全閉することによりスイッチ切り換えする近接スイッチを設けて、戸体の抉じ開けを検知することが提唱されるが、単に戸体近接スイッチの切り換えのみで戸体の抉じ開けを判断すると、戸体開放時に常に防犯管理がなされてしまうことから、シャッターカーテンの開放状態と戸体の開放状態とを関連させて戸体の抉じ開けの判断をする必要がある。このため、戸体近接スイッチを、手動開放検知手段が接続されるシャッター装置の制御盤に接続し、該制御盤においてシャッターカーテンと戸体の抉じ開けを判断することが防犯管理の操作性の観点から好ましい。しかるに、このようにした場合では、前述したように、ホームネットワーク側で警戒モードに入っている状態で停電した場合では、停電時に制御盤が不作動になることにより、停電と同時にシャッターカーテンや戸体が開放されたと判断して誤報を発生してしまうという問題がある。これに対応して、制御盤にバッテリを搭載すること以外の解決策として、これら検知スイッチの両者を、共にバッテリが搭載されるホームネットワークシステム側に接続し、停電時に、ホームネットワークシステム側に直接信号出力するように構成することが提唱されるが、このようにするには、両者のスイッチの切り換え手段と、ホームネットワークシステムに接続するための回路とがそれぞれに必要となり、コストアップや大型化の問題があり、これらに本発明の解決すべき課題がある。
【課題を解決するための手段】
【０００５】
本発明は、上記の如き実情に鑑みこれらの課題を解決することを目的として創作されたものであって、請求項１の発明は、接続される被操作機器を操作、管理するホームネットワークシステムに、開口部を開閉する戸体と、該戸体の外側を開閉するシャッターカーテンとを備えた建築用開閉装置を接続するにあたり、シャッターカーテンの全閉を検知するシャッター全閉検知スイッチと戸体の全閉を検知する戸体全閉検知スイッチとの何れか一方の検知スイッチからの全閉検知信号の入力で、ホームネットワークシステムを警戒モードに切り換えるよう構成する一方、ホームネットワークシステムにシャッターカーテンを開閉制御する開閉制御部を接続し、前記一方の検知スイッチを、通常通電時では開閉制御部に接続する通常時起動回路に、停電時ではホームネットワークシステムに接続する停電時起動回路に切り換え自在に接続するように構成したものである。
請求項２の発明は、請求項１において、停電時起動回路には、戸体全閉検知スイッチが接続されているものである。
請求項３の発明は、請求項１または２の何れか一項において、通常時起動回路には、シャッター全閉検知スイッチと戸体全閉検知スイッチとが、開閉制御部に対してそれぞれ個別に接続されているものである。
請求項４の発明は、請求項１乃至３の何れか一項において、通常時起動回路と停電時起動回路との切り換えは、開閉制御部に接続されたリレーのスイッチ接点が、開閉制御部の停電に基づいて切り換わることに伴い、自動的になされるように構成されているものである。
【発明の効果】
【０００６】
請求項１、２の発明とすることにより、開閉制御部にバッテリを搭載することなく、停電時の防犯管理が可能となり、しかも、構成の簡略化も果せる。
請求項３の発明とすることにより、シャッターカーテンと戸体とを個別に防犯管理することができる。
請求項４の発明とすることにより、停電時に自動的に回路切り換えがなされて、防犯管理を遅滞なく継続することができる。
【発明を実施するための最良の形態】
【０００７】
つぎに、本発明の第一の実施の形態について、図面に基づいて説明する。
図１において、１はホームネットワークシステムであって、該ホームネットワークシステム１は、建物に設置されるラジオ、照明器具等の家電類や、玄関ドア２、建築用開閉装置３等の被操作機器と、これら被操作機器を集中して操作、管理する装置であって、玄関等に設置される固定式操作端末４と、これら被操作機器と内部操作端末４とを接続する内部ネットワーク５と、該内部ネットワーク５を外部ネットワーク６に接続するゲートウェイ７と、外部ネットワーク６に接続される外部管理サーバ８と、外部ネットワーク６に接続され、屋外に持ち運び自在な複数の外部操作端末９とを備えて構成されている。そして、内部ネットワーク５には、ホーム管理サーバ１０が接続され、該ホーム管理サーバ１０を介して操作端末４による被操作機器の操作が行えるように構成されている。
ここで、前記ホーム管理サーバ１０は、単独で屋内に設置できるが、本実施の形態では、ゲートウェイ７および固定式操作端末４とともに一体に組み込まれている。
【０００８】
そして、本実施の形態では、被操作機器として、家電、玄関ドア２を施錠する電気錠２ａ、建物の開口部を開閉する建築用開閉装置３とがホームネットワークシステムに接続されるが、これらの被操作機器は、それぞれ内部ネットワーク５の通信規格に適合するホームネットワーク用インタフェース５ａ（本実施の形態では送信機により構成されており、以下、単にインタフェースと称する）を介してそれぞれ内部ネットワーク５に接続されている。
そして、固定式内部操作端末４や外部操作端末９の操作があった場合に、該操作に基づく操作指令信号がホーム管理サーバ１０から出力され、前記操作指令信号がインターフェース５ａを介して対応する被操作機器に送信され、これによって、被操作機器が対応する作動（スイッチのＯＮ−ＯＦＦ切り換え等）を行うように設定されている。
【０００９】
前記建築用開閉装置３は、詳しくは、住宅の窓部の屋外側に面して設けられた電動シャッター装置１１と、該電動シャッター装置１１のシャッターカーテン１１ａの内側に配されるサッシ窓を構成する左右一対の引き戸式の戸体１２とにより構成されている。
前記電動シャッター装置１１のシャッターカーテン１１ａは、開口部上方に配されたシャッターケース１１ｂに内装された巻き取りドラム（図示せず）に巻装されている。前記巻き取りドラムは、シャッターケース１１ｂに収納された開閉機１１ｃに連動連結されており、該開閉機１１ｃの正逆駆動に伴い正逆回転することにより、シャッターカーテン１１ａを巻き出し、巻き取りするように構成されている。これによって、シャッターカーテン１１ａは、両側縁部が開口部両側に立設されたガイドレール１１ｄの移動案内を受ける状態で開口部を上下動し、開口部を閉鎖する全閉姿勢と、開口部を開放する全開姿勢とのあいだを姿勢変姿するように設定されている。
【００１０】
１１ｅは前記開閉機１１ｃに接続される開閉制御部であって、該開閉制御部１１ｅがホームネットワークシステム１に接続されることになるが、この場合に、開閉制御部１１ｅは、インターフェース５ａに接続され、該インターフェース５ａを介して内部ネットワーク５に接続するように構成されている。そして、固定式内部操作端末４や外部操作端末９の操作に基づいて、インターフェース５ａを介して開放、閉鎖、停止操作指令の何れかの指令信号が開閉制御部１１ｅに入力した場合に、開閉制御部１１ｅは、開閉駆動制御手段に基づいて対応する駆動指令信号を開閉機１１ｃに出力するように設定されている。
【００１１】
さらに、本実施の形態では、シャッターカーテン１１ａとガイドレール１１ｄ４（躯体側）とのあいだに、シャッターカーテン１１ａの全閉姿勢を検知するシャッター近接スイッチ（本発明の開閉体全閉検知スイッチに相当する）１３が設けられている。前記シャッター近接スイッチ１３は、ガイドレール１１ｄの下端部側に設けられ、開閉制御部１１ｅに接続される後述するシャッタースイッチ回路を備えたシャッター近接スイッチ本体部１３ａと、シャッターカーテン１１ａの下端部側に設けられるシャッター磁性部材１３ｂとを備えて構成されている。そして、シャッター近接スイッチ１３は、シャッターカーテン１１ａが全閉姿勢になることに伴い、シャッター磁性部材１３ｂがシャッター近接スイッチ本体部１３ａを励磁し、シャッタースイッチ回路を開回路（ＯＦＦ状態）から閉回路（ＯＮ状態）に切り換えるように構成されている。
このように構成されたシャッター近接スイッチ１３は、シャッターカーテン１１ａが全閉姿勢となって、シャッタースイッチ回路を閉回路に切り換える（ＯＮ状態になる）ことによりシャッター全閉検知信号が出力され、該出力は、開閉制御部１１ｅに入力されるよう設定されている。
【００１２】
一方、前記左右一対の戸体１２は、該戸体１２の四周に設けた框枠１２ａが、躯体開口部に嵌着されたサッシ枠１２ｂに形成された図示しないレールに沿って左右方向に移動することにより、開口部を閉鎖する全閉姿勢から、一方の戸体１２が他方の戸体１２に積層して開口部の半部を開放する全開姿勢とのあいだを開閉移動するように構成されている。そして、サッシ枠１２ｂと一対の戸体１２とのあいだには、左右上方部位に位置して本発明の戸体全閉検知スイッチに相当する戸体近接スイッチ１４がそれぞれ設けられている。つまり、サッシ枠１２ｂ側には、後述する戸体スイッチ回路を備えた戸体近接スイッチ本体部１４ａが設けられ、各戸体框枠１２ａ側には戸体磁性部材１４ｂが設けられており、戸体１２が全閉姿勢になって磁性部材１４ｂが戸体近接スイッチ本体部１４ａを励磁することにより、戸体スイッチ回路を切り換えるように構成されている。
このように構成された戸体近接スイッチ１４において、戸体１２の全閉姿勢への変姿により、戸体スイッチ回路は開回路（ＯＦＦ状態）から閉回路（ＯＮ状態）に切り換わり、該閉回路になる（ＯＮ状態になる）ことにより戸体全閉検知信号を出力するが、該出力は、後述するように、通常通電時では開閉制御部１１ｅに、停電時ではインターフェース５ａに入力されるよう設定されている。
【００１３】
そして、シャッター近接スイッチ１３は、図４に示すように開閉制御部１１ｅに接続され、戸体近接スイッチ１４は、開閉制御部１１ｅと、ホームネットワークシステム１側の部材であり、停電状態になっても起動できるようバッテリが搭載されているインターフェース５ａとにそれぞれ切り換え自在に接続されるように配線されており、シャッター近接スイッチ１３はシャッター全閉検知信号を開閉制御部１１ｅに出力し、戸体近接スイッチ１４は戸体全閉検知信号を、前述したように、開閉制御部１１ｅとインターフェース５ａとの何れかの接続先に出力するように設定されている。
つまり、シャッター近接スイッチ１３と戸体近接スイッチ１４とは、それぞれ個別に開閉制御部１１ｅに接続するシャッター通常時起動回路１３ｃと戸体通常時起動回路１４ｃとに接続されている。
一方、開閉制御部１１ｅには停電時起動用リレー１５が接続されており、該停電時起動用リレー１５の励磁−非励磁に基づいて、Ａ端子側とＢ端子側とに接続切り換え（スイッチ切り換え）する戸体用スイッチ接点１５ａが、前記戸体通常時起動回路１４ｃに接続されている。そして、戸体用スイッチ接点１５ａは、開閉制御部１１ｅに電源供給がなされて停電時起動用リレー１５が励磁されている状態でＡ端子側に切り換えられており、この状態では、戸体近接スイッチ１４が戸体通常時起動回路１４ｃに接続される構成となっており、戸体近接スイッチ１４の閉成に伴い、戸体全閉検知信号を開閉制御部１１ｅに出力するように設定されている。
【００１４】
さらに、開閉制御部１１ｅとインターフェース５ａとのあいだにはインターフェース回路５ｂが接続されているが、該インターフェース回路５ｂには、戸体近接スイッチ１４に接続するための停電時起動回路５ｃが、開閉制御部１１ｅに対して並列接続されている。
つまり、インターフェース回路５ｂの一方の配線からは、一端が戸体用スイッチ接点１５ｂのＢ端子に接続する配線が接続され、他方の配線からは、一端が戸体通常時起動回路１４ｃの開閉制御部１１ｅと戸体近接スイッチ１４とのあいだの配線に接続する配線が接続されている。これによって、停電状態となり、開閉制御部１１ｅへの電源供給が断たれて停電時起動用リレー１５が非励磁状態となった場合では、戸体用スイッチ接点１５ａがＡ端子側からＢ端子側に接続切り換えされ、この状態となると、戸体近接スイッチ１４がインターフェース５ａに直接接続される停電時起動回路５ｃに接続されるように構成され、戸体近接スイッチ１４の閉成に伴い、インターフェース５ａに戸体全閉検知信号を出力するように設定されている。
【００１５】
このように、シャッター近接スイッチ１３と戸体近接スイッチ１４とのスイッチ回路は、通常通電時では通常時起動回路１３ｃ、１４ｃが閉成可能な状態となり、停電時では停電時起動回路５ｃが閉成可能な状態となり、これらが切り換え自在に構成されており、通常の電力供給時では、シャッターあるいは戸体近接スイッチ１３、１４の何れかが作動した場合に、通常時起動回路１３ｃ、１４ｃに基づいてシャッターあるいは戸体全閉検知信号が開閉制御部１１ｅに対して出力され、停電時では、戸体近接スイッチ１４が作動した場合にのみ、停電時起動回路５ｃに基づいてインターフェース５ａに戸体全閉検知信号を出力するように設定されている。
【００１６】
つぎに、通常の電源供給時（通常通電時）における開閉制御部１１ｅによる制御状態について説明する。
前記開閉制御部１１ｅは、前述したように前記各操作端末４、９が操作されることに伴い、開閉駆動制御手段に基づいて対応する駆動指令を開閉機１１ｃに対して出力し、シャッターカーテン１１ａの開閉駆動制御を行うように設定されている。
また、開閉制御部１１ｅには戸体優先防犯手段が設けられており、通常通電時において、開閉制御部１１ｅに入力される戸体近接スイッチ１４とシャッター近接スイッチ１３とから出力される各全閉検知信号に基づいて、シャッターカーテン１１ａと戸体１２とが設けられる開口部における開閉状態を検知する戸体優先防犯制御を行い、開口部の開閉状態に基づいて開口部全閉信号をインターフェース５ａに出力し、該信号がホームネットワークシステム１のホーム管理サーバ１０に入力するように設定されている。
【００１７】
つぎに、前記戸体優先防犯手段を、図５のタイミングチャート図を用いて説明する。
戸体１２が閉鎖して戸体全閉検知信号が入力され、かつ、シャッター全閉検知信号が入力されている状態では、開閉制御部１１ｅは、インターフェース５ａ（ホームネットワークシステム１）に対して開口部全閉信号（開口部閉鎖信号）を出力しており、戸体全閉検知信号の入力がない場合では、シャッター全閉検知信号の入力の有無に拘わらず、開口部全閉信号の出力を停止（開口部開放信号を出力）するように設定されている。
さらに、開閉制御部１１ｅは、戸体全閉検知信号が入力されている状態でシャッター全閉検知信号の入力がなくなると、該入力のない時間の長短に拘わらず予め設定される時間（例えば２秒）のあいだ開口部全閉信号の出力を停止（開口部開放信号を出力）するように設定されている。
尚、戸体全閉検知信号の入力が予め設定される時間（例えば２秒）よりも短い時間（例えば１．５秒）でなくなった場合、開閉制御部１１ｅは、前記設定時間（２秒）のあいだ開口部全閉信号の出力を停止（開口部開放信号の出力）するように設定されている。
【００１８】
これに対し、停電となって戸体近接スイッチ１４が開閉制御部１１ｅとの接続からインターフェース５ａに接続される状態になった場合では、戸体近接スイッチ１４からの戸体全閉検知信号が直接インターフェース５ａに入力されるが、この場合に、戸体全閉検知信号がそのまま開口部全閉信号としてホーム管理サーバ１０に入力されるように設定されている。
因みに、ホーム管理サーバ１０は、開口部全閉信号の入力がなされている状態で警戒モードへの切り換えが可能となっており、該警戒モードにおいて、開口部全閉信号の入力がなくなる（開口部開放信号が入力する）ことを持って、開口部が抉じ開けられたと判断して適宜防犯作動（例えば、警備会社への報知、外部端末９への報知等）を行うように設定されている。
このように、ホームネットワークシステム１は、戸体１２が全閉して戸体近接スイッチ１４が戸体全閉検知信号を出力して開口部全閉信号の入力がある状態に限り警戒モードとなることが可能であり、該警戒モードに移行している状態において停電したような場合に、停電時起動回路５ｃが起動してインターフェース５ａに戸体検知スイッチ１４からの信号入力が継続される。これによって、ホームネットワークシステム１が警戒モードに移行している状態で停電となったとしても、戸体１２が閉鎖状態であれば戸体全閉検知信号の入力が継続されて、停電となると共にホームネットワークシステム１側に開口部全閉信号（戸体全閉検知信号）の入力がなくなって、抉じ開けの判断がなされて防犯作動をしてしまうような不具合をなくすことができるように設定されている。
【００１９】
叙述の如く構成された本形態において、建築用開閉装置３をホームネットワークシステム１に接続して、ホーム管理サーバ１０による集中的な操作管理、防犯管理を行う場合に、建築用開閉装置３を構成する電動シャッター装置１１と該電動シャッター装置１１の内側に配される戸体１２とは、それぞれ抉じ開けを検知するためのシャッター近接スイッチ１３と戸体近接スイッチ１４とが設けられている。そして、これらスイッチ１３、１４をインターフェース５ａを介してホームネットワークシステム１に接続することにより、これらスイッチ１３、１４の作動状態に基づいてホームネットワークシステム１による抉じ開けを監視することができる。この場合に、電源供給が通常になされる通常通電時では、これら両スイッチ１３、１４の作動状態を電動シャッター装置１１の開閉制御部１１ｅが戸体優先防犯手段により監視することにより、シャッターカーテン１１ａと戸体１２との開放状態による開口部の開放状態を検知して防犯管理を行うことができる。
そして、このものでは、ホームネットワークシステム１を、戸体全閉検知信号の入力がなされているときに限り警戒モードに移行できるように構成され、しかも、戸体検知スイッチ１４は、通常通電時では開閉制御部１１ｅに接続される通常時起動回路１４ｃに接続されるが、停電時では、停電時起動用リレー１５が起動することにより、インターフェース５ａに接続される停電時起動回路５ｃに接続されるので、戸体検知スイッチ１４の検知信号が直接インターフェース５ａに出力されて、ホームネットワークシステム１側に入力することができる。この結果、ホームネットワークシステム１が警戒モードとなって、開口部全閉信号の入力がなされている状態で停電になったとしても、戸体１２が閉鎖されたままの状態であれば開口部全閉信号のホームネットワークシステム１側への入力が継続されて、開口部全閉信号の消失に基づく防犯作動がなされるような誤動作を確実に防止できる。しかも、この場合に、開閉制御盤１１ｅにバッテリを搭載する必要がないので、開閉制御盤１１ｅを大型化するようなこともなく、しかも、戸体近接スイッチ１４のみを、通常時起動回路１４ｃから停電時起動回路５ｃに切り換えるための切り換えスイッチ（戸体用スイッチ接点１５ａ）だけが必要となる構成であるので、構成の簡略化を果せるばかりでなく、開閉制御部１１ｅのコンパクト化を損なうことがなく、しかも、低コストで構成することができる。
【００２０】
そのうえ、このものでは、シャッター近接スイッチ１３と戸体近接スイッチ１４とが開閉制御部１１ｅに対して個別に接続されているので、両者の検知信号がそれぞれ入力されて、それぞれの開放状態を検知することに基づく防犯管理が可能となり、操作性よく防犯管理を行うことができる。
【００２１】
そのうえ、本実施の形態のものでは、開閉制御部１１ｅに設けた停電時起動用リレー１５が、停電になることにより励磁状態から非励磁状態に切り換わり、戸体近接スイッチ１４のスイッチ回路を通常時起動回路１４ｃを閉成可能とする状態から停電時起動回路５ｃを閉成可能とする状態に自動的に切り換えられることになるので、突然の停電にあっても円滑に防犯管理を続行することが可能となり、操作性に優れる。
【００２２】
尚、本発明は前記実施の形態に限定されないことは勿論であって、前記実施の形態では、戸体を優先しており、戸体の全閉を検知する近接スイッチを停電時にホームネットワークシステムに接続する構成としており、ホームネットワークシステムでは戸体が全閉となることで警戒モードとなるように構成されている。この場合、昼間の外出時のように、シャッターカーテンを開放したままでも警戒モードとすることができるという利点がある。
これに対し、シャッターカーテンを優先して、シャッターカーテンの全閉を検知する近接スイッチを停電時にホームネットワークシステムに接続する構成としてものよく、この場合、図４におけるシャッター近接スイッチと戸体近接スイッチとの接続位置を逆にすればよい。このように配線した場合、ホームネットワークシステムは、シャッターカーテンが全閉となることで警戒モードとなるように構成され、シャッターカーテンとしてブラインドタイプのものを採用したような場合に、戸体を開放し、シャッターカーテンを閉鎖した状態で、各スラットをブラインド状に開放した通風状態であっても警戒モードに設定することができるという利点がある。このように、戸体を優先とするか、あるいは、シャッターカーテンを優先とするかは、使用者の使用状況に合わせ、適宜選択することが可能であり、設置現場で容易に選択することができる。
【図面の簡単な説明】
【００２３】
【図１】ホームネットワークシステムの全体構成を説明するブロック図である。
【図２】窓部に設けられる建築用シャッター装置とサッシ窓との構成を説明するパターン図である。
【図３】ホームネットワークシステムの機能構成を説明するブロック図である。
【図４】シャッター近接スイッチと戸体近接スイッチとの接続状態を説明する回路図である。
【図５】図５（ａ）、（Ｂ）はそれぞれ通常通電時と停電時におけるシャッター近接スイッチと戸体近接スイッチと開口部全閉信号との出力制御状態を説明するタイミングチャート図である。
【符号の説明】
【００２４】
１    ホームネットワークシステム
３    建築用開閉装置
５    内部ネットワーク
５ａ    インターフェース
５ｃ    停電時起動回路
１０    ホーム管理サーバ
１１    電動シャッター装置
１１ｅ    開閉制御部
１２    戸体
１３    シャッター近接スイッチ
１４    戸体近接スイッチ
１４ｃ    戸体通常時起動回路
１５    戸体用スイッチ接点
【図１】
2007036447.tif 000003
【図２】
2007036447.tif 000004
【図３】
2007036447.tif 000005
【図４】
2007036447.tif 000006
【図５】
2007036447.tif 000007